(57)【特許請求の範囲】
【請求項１】
所定の遊技装置を使用するときに受け付けられる所定の記録媒体に記録された固有情報を遊技場の担当者と対応付けて管理する遊技場管理装置であって、
前記固有情報と前記担当者の情報とを対応付けて記憶可能な記憶手段と、
所定の情報を表示可能な表示手段と、
前記表示手段の表示内容を制御可能な表示制御手段と、を備え、
前記記憶手段は、複数の担当者が交替して勤務する時間帯別に当該複数の担当者の情報が対応付けられた所定のシフトデータに基づき、前記固有情報を、前記シフトデータにおける前記担当者の勤務の連続性に基づいて前記時間帯別に前記複数の担当者の情報と対応付けて記憶可能であり、
前記表示制御手段は、前記記憶手段に記憶された固有情報と、当該固有情報に対応する担当者の情報を時間帯別に、前記表示手段に表示させる制御を実行可能である
ことを特徴とする遊技場管理装置。
【請求項２】
前記記憶手段に記憶された固有情報について所定の判断条件に基づいて有効であることを判断する判断手段と、
前記判断手段において有効ではないと判断された固有情報が前記遊技装置を使用するときに受け付けられると、当該遊技装置の使用を制限する制限手段と、を備え、
前記表示制御手段は、前記制限手段により制限が行われることに基づいて所定の警告情報を前記表示手段に表示させる制御を実行可能であり、
前記判断手段は、前記記憶手段に記憶された時間帯別の固有情報に基づいて、当該固有情報が記憶されていない時間帯における固有情報について無効と判断し、
前記表示制御手段は、前記判断手段において無効と判断された時間帯を、前記遊技装置を使用するときに用いる機器が使用されない未使用時間帯として前記表示手段に表示させ、
前記制限手段は、前記未使用時間帯において前記遊技装置を使用するときに固有情報が受け付けられると、当該遊技装置の使用を制限する
ことを特徴とする請求項１に記載の遊技場管理装置。
【請求項３】
前記表示制御手段は、前記遊技装置において所定の処理が行われると、当該所定の処理が行われるときに受け付けられる前記固有情報と当該所定の処理が行われるときの時刻情報に基づいて、前記記憶手段に記憶された複数の担当者の情報のうちいずれかの担当者の情報を前記所定の処理に対応する担当者の情報として前記表示手段に表示させる制御を実行可能であり、
前記担当者が交替する予定時刻に基づく所定の猶予時間を設定可能な交代猶予時間設定手段を備え、
前記表示制御手段は、
前記交代猶予時間設定手段により設定された猶予時間内における前記所定の処理に対応する担当者の情報として、当該所定の処理が行われた時刻に基づいて特定される担当者を前記表示手段に表示させる
ことを特徴とする請求項１又は２に記載の遊技場管理装置。
【請求項４】
所定の遊技装置と、当該遊技装置を使用するときに受け付けられる所定の記録媒体に記録された固有情報を遊技場の担当者と対応付けて管理する遊技場管理装置とを備えた遊技場管理システムであって、
前記固有情報と前記担当者の情報とを対応付けて記憶可能な記憶手段と、
所定の情報を表示可能な表示手段と、
前記表示手段の表示内容を制御可能な表示制御手段と、を備え、
前記記憶手段は、複数の担当者が交替して勤務する時間帯別に当該複数の担当者の情報が対応付けられた所定のシフトデータに基づき、前記固有情報を、前記シフトデータにおける前記担当者の勤務の連続性に基づいて前記時間帯別に前記複数の担当者の情報と対応付けて記憶可能であり、
前記表示制御手段は、前記記憶手段に記憶された固有情報と、当該固有情報に対応する担当者の情報を時間帯別に、前記表示手段に表示させる制御を実行可能である
ことを特徴とする遊技場管理システム。
【請求項５】
所定の遊技装置を使用するときに受け付けられる所定の記録媒体に記録された固有情報を遊技場の担当者と対応付けて管理する遊技場管理装置に備えられる遊技場管理プログラムであって、
前記遊技場管理装置のコンピュータを、
前記固有情報と前記担当者の情報とを対応付けて記憶可能な記憶手段、
所定の情報を表示可能な表示手段、及び
前記表示手段の表示内容を制御可能な表示制御手段、として機能させ、
前記記憶手段は、複数の担当者が交替して勤務する時間帯別に当該複数の担当者の情報が対応付けられた所定のシフトデータに基づき、前記固有情報を、前記シフトデータにおける前記担当者の勤務の連続性に基づいて前記時間帯別に前記複数の担当者の情報と対応付けて記憶可能であり、
前記表示制御手段は、前記記憶手段に記憶された固有情報と、当該固有情報に対応する担当者の情報を時間帯別に、前記表示手段に表示させる制御を実行可能である
ことを特徴とする遊技場管理プログラム。
【発明の詳細な説明】
【技術分野】
【０００１】
本発明は、遊技装置を管理する遊技場管理装置及び遊技場管理装置を備えた遊技場管理システム並びに遊技場管理プログラムに関し、特に、所定の記録媒体に記録された固有情報に基づき遊技装置の使用を管理する遊技場管理装置、遊技場管理システム及び遊技場管理プログラムに関する。
【背景技術】
【０００２】
パチンコ機やスロットマシンなどの遊技機が設置される遊技場においては、遊技によって獲得した遊技媒体を計数する計数装置や、計数装置により計数された遊技媒体数に応じて景品交換を行う景品交換装置などの遊技装置が設置されている。
このうち、計数装置は、不正使用の防止等の理由から遊技場の店員（担当者）にのみ操作が認められているところ、計数装置の管理を徹底するには、担当者による使用が適切になされているかどうかを管理する必要がある。
そこで、遊技装置を管理する技術として、特許文献１には、ＩＣタグを用いて担当者の認証を行う計数機（計数装置）と、ＩＣタグに書き込まれた担当者コード等を登録する管理装置とを備えた遊技媒体計数システムが開示されている。
特許文献１に記載の管理装置によれば、担当者コードに使用可能な時間帯を紐付けて登録するようにしているため、担当者による計数装置の使用を時間帯ごとに管理することができる。
【先行技術文献】
【特許文献】
【０００３】
【特許文献１】特開２００５−３３４２４６号公報
【発明の概要】
【発明が解決しようとする課題】
【０００４】
しかしながら、遊技装置を管理する管理装置については改良の余地があった。
【課題を解決するための手段】
【０００５】
上記目的を達成するため、本発明の遊技場管理装置は、所定の遊技装置を使用するときに受け付けられる所定の記録媒体に記録された固有情報を遊技場の担当者と対応付けて管理する遊技場管理装置であって、前記固有情報と前記担当者の情報とを対応付けて記憶可能な記憶手段と、所定の情報を表示可能な表示手段と、前記表示手段の表示内容を制御可能な表示制御手段と、を備え、前記記憶手段は、複数の担当者が交替して勤務する時間帯別に当該複数の担当者の情報が対応付けられた所定のシフトデータに基づき、前記固有情報を、前記シフトデータにおける前記担当者の勤務の連続性に基づいて前記時間帯別に前記複数の担当者の情報と対応付けて記憶可能であり、前記表示制御手段は、前記記憶手段に記憶された固有情報と、当該固有情報に対応する担当者の情報を時間帯別に、前記表示手段に表示させる制御を実行可能にしてある。
【図面の簡単な説明】
【０００６】
【図１】本発明の一実施形態に係る遊技場管理装置を備えた遊技場管理システムのシステム構成図である。
【図２】本発明の一実施形態に係る遊技場管理装置の構成を示すブロック図である。
【図３Ａ】時間帯別担当者リストの設定画面を示す第一の図である。
【図３Ｂ】時間帯別担当者リストの設定画面を示す第二の図である。
【図３Ｃ】時間帯別担当者リストの設定画面を示す第三の図である。
【図３Ｄ】時間帯別担当者リストの設定画面を示す第四の図である。
【図４】特定担当者リストを説明するための図である。
【図５】（ａ）は、誤った設定に基づき登録された時間帯別担当者リストの一例を示す図であり、（ｂ）は、設定が誤っていることに対する警告情報を示す図である。
【図６】有効ではないリモコンが使用されたことに対する警告情報を示す図である。
【図７】計数装置の使用履歴リストを示す図である。
【図８】時間帯別担当者リストの設定手順を示すフローチャートである。
【図９】登録した時間帯別担当者リストに基づく管理動作の手順を示すフローチャートである。
【図１０】本発明の他の実施形態に係る遊技場管理装置の機能を説明するための図であり、（ａ）は、シフトデータの一例を示す図であり、（ｂ）は、リモコンＩＤの優先順位リストを示す図であり、（ｃ）は、シフトデータに基づき設定された時間帯別担当者リストを示す図である。
【発明を実施するための形態】
【０００７】
以下、本発明に係る遊技場管理装置及びこの遊技場管理装置を備えた遊技場管理システム並びに遊技場管理プログラムの好ましい実施形態について、図１〜図９を参照して説明する。
【０００８】
図１は、本発明の実施形態に係る遊技場管理装置を備えた遊技場管理システムのシステム構成図である。
図１に示すように、本実施形態に係る遊技場管理システムは、パチンコ機やスロットマシンなどの遊技機１０のほか、遊技媒体を貸し出す遊技媒体貸出機２０、台コンピュータ３０、島コンピュータ４０、遊技機による遊技により獲得した遊技媒体の計数処理を行う計数装置５０、遊技媒体の計数値に応じた景品の交換を行う景品交換装置６０などの遊技装置、及び遊技機１０ごとの遊技データを集計し、計数装置５０等の遊技装置を管理する遊技場管理装置７０で構成され、これらの装置はそれぞれ通信手段を備え、所定のネットワーク（例えば、ローカル・エリア・ネットワーク）を介してデータ通信可能に接続されている。
また、計数装置５０とリモコン５１とは赤外線通信が可能である。
【０００９】
このような構成からなる本実施形態の遊技場管理システムにおいて、計数装置５０は、遊技場の店員（担当者）が携行するリモコン５１の操作に基づき遊技媒体の計数処理を行い、遊技場管理装置７０は、このような計数装置５０の使用を管理可能な構成となっている。
【００１０】
リモコン５１は、計数装置５０の操作手段であり、操作の際、赤外線通信を介して計数装置５０に所定の命令信号を送信する。
操作可能なリモコン５１は複数設定することができ、各リモコン５１には、それぞれ固有情報としてリモコンＩＤが付されている。具体的には、リモコン５１の内部に備えられたＲＯＭやＲＡＭなどの記録媒体にリモコンＩＤが記録されている。
このようなリモコン５１において、計数処理を求める操作が行われると、リモコン５１は、計数処理を求める所定の命令信号と、記憶部７２に記憶されているリモコンＩＤを計数装置５０に送信する。なお、リモコンＩＤを命令信号として送信することもでき、また、リモコンＩＤを命令信号に含めて送信することもできる。
【００１１】
計数装置５０は、遊技客が遊技機１０の遊技により獲得した遊技媒体を計数する装置である。
具体的には、計数装置５０は、計数処理を求める操作時にリモコン５１から送信される命令信号をリモコン受信部５２が受信し、この受信に応じて投入口に設けられたシャッターを開き、遊技媒体を投入可能な状態にできるようになっている。この状態で、遊技媒体が投入されると、遊技媒体が所定のセンサーによって計数される。
なお、計数装置５０は、計数処理を求める命令信号を受信するまで、つまり、この命令信号をしていない間は、シャッターが閉じられ、計数処理ができないようになっている。
【００１２】
計数装置５０は、計数処理の結果となる遊技媒体数（計数値）を、レシートに記録して発行する。レシートには、リモコン５１から受信したリモコンＩＤを印字することもできる。レシートは、景品交換装置６０に読み込まれることで、レシートに記された計数値に応じた景品との交換が行われる。
【００１３】
計数装置５０は、リモコン５１から計数処理を求める命令信号とともにリモコンＩＤを受信し、これを遊技場管理装置７０に送信するようにしている。すなわち、リモコン５１から送信されたリモコンＩＤは、計数装置５０により中継されて遊技場管理装置７０に送信される。
また、計数装置５０は、計数処理の結果である計数値を遊技場管理装置７０に送信することもできる。
【００１４】
遊技場管理装置７０は、リモコン５１の管理を通じて、リモコン５１を介して使用される計数装置５０を管理する。
このため、遊技場管理装置７０は、予めリモコンＩＤと担当者の情報とを対応付けて設定・登録することで、各リモコン５１についてどの担当者に使用が許可されているかを把握できるように構成されている。また、計数装置５０の使用時にリモコン５１から送信され、計数装置５０を介して受け付けたリモコンＩＤを照合することによって、計数装置５０が、どの担当者がどのリモコン５１を用いて使用されたかを把握することができ、所定の場合には計数装置５０の使用を制限し、又は警告を行うように構成されている。
以下、このような遊技場管理装置７０の構成について説明する。
【００１５】
遊技場管理装置７０は、プログラム制御により動作する情報処理装置であって、遊技場に備えられる遊技装置を管理する。
なお、本実施形態では、遊技場管理装置７０が管理する遊技装置として計数装置５０を例に挙げて説明するが、計数装置５０の代わりに景品交換装置６０等の他の遊技装置を適用することができる。
【００１６】
遊技場管理装置７０は、図２に示すように、通信部７１と、記憶部７２と、表示部７３と、入力部７４と、制御部７５と、を備えている。
通信部７１は、他の遊技装置との間で所定の信号や情報の送受信を行う。
例えば、計数装置５０から、リモコン５１から送信され当該計数装置５０により中継されるリモコンＩＤ、計数処理の結果である計数値等を受信し、また、計数装置５０に対し、当該計数装置５０の使用を制限するための制限信号を送信する。
【００１７】
記憶部７２は、図示しないＲＯＭ，ＲＡＭ，ハードディスク等の記憶媒体で構成され、計数装置５０の管理に必要な情報のほか、遊技場管理装置７０が備える各種機能に関するプログラムや遊技機１０に関する遊技情報等を記憶する。
計数装置５０の管理に必要な情報としては、例えば、リモコンＩＤと、計数装置５０の使用が予定される遊技場の店員（担当者）の情報とを対応付けたＩＤ登録リストＭ２がある（図３Ａ〜Ｄ参照）。ＩＤ登録リストＭ２は、具体的には、リモコンＩＤと、リモコンＩＤが有効か否かを識別可能な設定情報（図３の「可否」参照）と、担当者の情報とを対応付けたデータであって、これを使用するリモコン５１の数分リストアップしたテーブルデータである。
また、各リモコンＩＤに対し、リモコン５１の使用が許可される時間帯別に担当者の情報が設定された時間帯別担当者リストＭ３がある（図３Ｃ〜Ｄ参照）。
さらに、特定の担当者と特定のリモコンＩＤとを対応付けた特定担当者リストＭ４がある。
【００１８】
表示部７３は、例えば、液晶ディスプレイなどで構成され、所定の情報を表示することができる。
表示部７３に表示される情報としては、例えば、記憶部７２に記憶されているＩＤ登録リストＭ２（図３Ｂ（ｃ）参照）、時間帯別担当者リストＭ３（図３Ｄ（ｂ）参照）、特定担当者リストＭ４（図４参照）、使用履歴リストＭ６（図７参照）、所定の警告情報（図５（ｂ），図６参照）等がある。
【００１９】
入力部７４は、例えば、図示しないキーボード、マウス等の入力デバイスで構成される操作手段である。本実施形態では、これらの入力デバイスを操作することによって、制御部７５が、ＩＤ登録リストＭ２、時間帯別担当者リストＭ３、特定担当者リストＭ４の設定・登録を行い、これらの情報や使用履歴リストＭ６を表示部７３に表示させることができる。
【００２０】
制御部７５は、図示しないＣＰＵなどで構成されており、記憶部７２に記憶されている所定の遊技場管理プログラムを読み込んで実行することにより、遊技場管理装置７０の有する以下の各手段（表示制御手段、判断手段、制限手段）の動作制御を行う。
【００２１】
制御部７５は、表示制御手段として動作することで、表示部７３が表示する内容を制御することができる。
具体的には、記憶部７２に記憶されている時間帯別担当者リストＭ３を表示部７３に表示させる表示制御が実行可能である（図３Ｃ（ｂ）、図３Ｄ（ｂ）等参照）。
これにより、リモコンＩＤと、このリモコンＩＤに対応する担当者の情報が時間帯別に表示されるため、各担当者が、どの時間帯に、どのリモコン５１を用いることができるかを把握することができる。
すなわち、このようなリモコン５１の管理を通じて、計数装置５０の使用を管理するようにしている。
ここで、このような表示を可能とする時間帯別担当者リストＭ３の設定方法について図３Ａ〜Ｄを参照しながら説明する。
【００２２】
図３Ａ〜Ｄは、時間帯別担当者リストの設定画面を示す図である。
なお、所定の操作により、表示部７３の表示画面には、「対象日」欄Ｍ１、「リモコンＩＤ」欄と「可否」欄と「表示名」欄とからなるＩＤ登録リストＭ２、登録ボタンＫ１、及び詳細ボタンＫ２が配置された設定画面Ｐ１が、左部領域内に表示されているものとする。
【００２３】
まず、対象日を設定する。
具体的には、管理者等のユーザによる所定操作によって、「対象日」欄Ｍ１に対象とする営業日を入力する（図３Ａ（ａ）参照）。営業日ごとに異なる内容の時間帯別担当者リストＭ３を登録可能とするものである。
また、図示しないが、「対象期間」を設定することもできる。「対象期間」を指定することで、「対象期間」に含まれる複数の営業日について、後記ＩＤ登録リストＭ２や時間帯別担当者リストＭ３を、まとめて設定することができる。
また、「対象日」等をユーザが設定しない場合、登録日から所定期間（例えば、１ヶ月）を有効な「対象期間」（有効期間）として設定する自動設定も可能である。
【００２４】
次に、ＩＤ登録リストＭ２の設定を行う。
まず、リモコンＩＤを設定する。例えば、図３Ａ（ａ）に示すように、ＩＤ登録リストＭ２において、番号１の「リモコンＩＤ」欄を選択し、任意のリモコンＩＤ（＝１）を入力する。
【００２５】
続いて、リモコンＩＤを有効とする設定を行う。具体的には、図３Ａ（ａ）に示すように、ＩＤ登録リストＭ２の「可否」欄のチェックボックスにチェックを入れる。「可否」欄をチェックすると、そのリモコンＩＤに対し、有効であることを示す所定の識別情報が付されて記憶される。このため、この識別情報の有無に基づきリモコンＩＤが有効か否かを判断することができる。なお、本実施形態において、「可否」欄の設定は、「対象日」ごとに行うが、時間帯を指定してすることで「時間帯」ごとに設定することもできる。
【００２６】
そして、担当者を設定する。具体的には、ＩＤ登録リストＭ２の「表示名」欄を選択して任意の担当者の情報（氏名や職位等）を入力する。例えば、番号１の「表示名」欄を選択すると、リモコンＩＤ＝１に関する担当者の情報について、「係員から登録」か「直接入力で登録」を選択可能なウィンドウＭ２１が表示される（図３Ａ（ｂ）参照）。
なお、１つのリモコンＩＤについて複数の担当者を設定する場合であっても、ここでは、そのうちの一人の担当者を入力する。複数の担当者の設定は、後記時間帯別担当者リストＭ３の設定にて行う。
【００２７】
ウィンドウＭ２１において、「係員から登録」を選択すると、記憶部７２に記憶されている担当者の情報がプルダウンメニューによって選択可能に表示される。
プルダウンメニューから任意の担当者を選択すると、「表示名」欄に、選択された担当者の情報が入力される。図３Ａ（ｃ）は、「課長」が選択されたことで、番号１の「表示名」欄に、担当者の情報として「課長」が入力された例を示す。
【００２８】
また、図３Ｂ（ａ）に示すように、ウィンドウＭ２１において、「直接入力で登録」を選択すると、担当者の情報を、キーボード等を介して直接入力することが可能となる。図３Ｂ（ａ），（ｂ）は、所定の入力枠に「山田太郎」と入力することによって、番号２の「表示名」欄に、担当者の情報として「山田太郎」が入力された例を示す。
【００２９】
このような設定操作を、使用するすべてのリモコン５１（リモコンＩＤ）に対して行う。図３Ｂ（ｃ）は、リモコンＩＤ＝１，２１，２９，３５の各リモコン５１に対し、「課長」、「山田太郎」、「店長」、「チーフ」を、それぞれ対応付けて設定したときのＩＤ登録リストＭ２を示す。
このようにして設定されたＩＤ登録リストＭ２は、登録ボタンＫ１を選択することで、記憶部７２に記憶されて、登録される。
【００３０】
続いて、時間帯別担当者リストＭ３の設定を行う。
時間帯別担当者リストＭ３は、詳細ボタンＫ２を選択することで設定可能に表示される。具体的には、ＩＤ登録リストＭ２の登録後、詳細ボタンＫ２を選択することによって、ＩＤ登録リストＭ２から「リモコンＩＤ」が抽出され、この抽出された各リモコンＩＤに対し時間帯別に担当者を設定可能な図表が表示画面の右部領域に表示される。
本実施形態では、図３Ｂ（ｃ）に示すＩＤ登録リストＭ２から、リモコンＩＤ＝１，２１，２９，３５が抽出され、それぞれに対し、９：００（開店）から２４：００（閉店）までを１時間ごとに区切った時間帯別に担当者の設定が可能なマス目からなる図表が表示される（図３Ｃ（ａ）参照）。
【００３１】
このような時間帯別担当者リストＭ３において、対象のリモコンＩＤを選択し、そのリモコンＩＤについて、時間帯ごとに担当者の情報を設定する。
例えば、図３Ｃ（ａ）に示す時間帯別担当者リストＭ３において、「リモコンＩＤ＝３５」を選択すると、このリモコンＩＤに関する担当者の情報について「係員から登録」か「直接入力で登録」を選択でき、また、このリモコンＩＤに関する時間帯について「終日」か「時間指定」の選択が可能なウィンドウＭ３１が表示される（図３Ｃ（ａ）参照）。なお、このウィンドウＭ３１の当初表示には、「係員から登録」にて選択された担当者として、ＩＤ登録リストＭ２においてリモコンＩＤ＝３５に対応付けられている「チーフ」が表示される。
【００３２】
ウィンドウＭ３１において、「終日」を選択すると、開店時刻（９：００）から閉店時刻（２４：００）に含まれるすべての時間帯に対し、同じ担当者をまとめて設定することができる。
例えば、図３Ｃ（ａ）に示すリモコンＩＤ＝３５に関するウィンドウＭ３１において、担当者として設定されている「チーフ」が表示されたまま、「終日」を選択すると、リモコンＩＤ＝３５のすべての時間帯のマス目に「チーフ」が入力される。
図３Ｃ（ｂ）は、リモコンＩＤ＝１，２１，２９，３５に対し「終日」を選択したときに設定された時間帯別担当者リストＭ３である。
このようにすると、開店から閉店までに亘り、一人の担当者を設定する場合に便利である。例えば、開店から閉店までの終日、同じ担当者が同じリモコン５１を使用する場合や、「終日」による設定をした後、一部の時間帯について他の担当者に変更する設定を行う場合に便利である。
【００３３】
ウィンドウＭ３１において、「時間指定」を選択すると、個々の時間帯別に担当者を設定することができる（図３Ｄ（ａ）参照）。
図３Ｃ〜図３Ｄは、「終日」を選択することで開店から閉店の間のすべての時間帯に同じ担当者を設定した後、「時間指定」を選択することで一部の時間帯において担当者を変更する際の設定画面Ｐ１の遷移を示す。
【００３４】
ここでは、まず、図３Ｃ（ａ），（ｂ）に示すように、「終日」により、開店から閉店まで、同じリモコンＩＤに対し同じ担当者を設定した後、図３Ｄ（ａ）に示すように、リモコンＩＤ＝３５を選択することで、そのリモコンＩＤに関するウィンドウＭ３１を表示させる。
次に、ウィンドウＭ３１において、「係員から登録」で「研修」を選択し、「時間指定」で「１１：００〜閉店」の時間帯を指定する（図３Ｄ（ａ）参照）。
そうすると、図３Ｄ（ｂ）に示すように、リモコンＩＤ＝３５の１１：００〜２４：００（閉店時刻）の各時間帯の担当者が「研修」に変更される。
【００３５】
このような設定操作を各リモコンＩＤについて行うことで、リモコンＩＤに対し、時間帯別に複数の担当者の情報を対応付けた時間帯別担当者リストＭ３を設定することができる。
そして、このようにして設定された時間帯別担当者リストＭ３は、登録ボタンＫ１を選択することで、記憶部７２に記憶されて、登録される。
【００３６】
これにより、制御部７５は、記憶部７２から時間帯別担当者リストＭ３（図３Ｄ（ｂ）参照）を取り出して、表示部７３に表示させる表示制御が可能となる。
このように、時間帯別担当者リストＭ３を表示することによって、例えば、遊技場の管理者は、各担当者について、どの時間帯にどのリモコン５１を用いて計数装置５０を使用することが許可されているかを管理することができる。また、各担当者は、自身が、どの時間帯にどのリモコン５１を用いて計数装置５０を使用することが許可されているかを把握して業務を行うことができる。
【００３７】
このように、リモコン５１の記録媒体に記録され、従来担当者と一対一に対応付けて管理されるリモコンＩＤを、時間帯別に複数の担当者に対応付けて時間帯別担当者リストＭ３として記憶することによって、リモコンＩＤと、当該リモコンＩＤに対応する担当者の情報を時間帯別に表示する表示制御が実行可能である。
これにより、リモコン５１の使用効率の向上を図りつつも、リモコン５１の管理を通じて計数装置５０の適切かつ円滑な使用を管理することができる。
【００３８】
また、時間帯別担当者リストＭ３は対象日ごとに記憶できるようにしているため、過去の時間帯別担当者リストＭ３を記憶部７２から取り出して表示させることもできる。
例えば、過去の対象日、期間、曜日を指定することによって、指定された営業日、又は、期間、曜日に含まれる複数の営業日における時間帯別担当者リストＭ３を表示部７３に表示させることが可能となる。
これにより、時間帯別担当者リストＭ３を新規に登録する際に参照することができる。
【００３９】
さらに、制御部７５は、このような表示制御の他、過去の時間帯別担当者リストＭ３の内容を引用して、新規に登録する時間帯別担当者リストＭ３として設定する制御もできる。
例えば、先週の金曜日の時間帯別担当者リストＭ３を取り出し、これを、今週の金曜日の時間帯別担当者リストＭ３として設定することが可能となる。
これにより、時間帯別担当者リストＭ３の設定の手間を大幅に軽減することができる。
【００４０】
また、このように、リモコンＩＤを時間帯別に複数の担当者と対応付け可能な時間帯別担当者リストＭ３において、特定のリモコンＩＤについては、特定の担当者の情報にのみ対応付けできるようにすることもできる。
つまり、特定のリモコンＩＤについては、特定の担当者の情報にのみ対応付けを許容することで、複数の担当者の情報との対応付けを制限することができる。
【００４１】
このため、特定ＩＤと特定担当者とを一対一に対応付けて設定し、これを登録しておく必要がある。
図４は、リモコンＩＤ＝２９を特定のリモコンＩＤ（特定ＩＤ）、「店長」を特定の担当者（特定担当者）とし、これらを対応付けて設定した特定担当者リストの表示画面Ｐ２である。
この特定担当者リストＭ４を記憶部７２に記憶することによって、特定ＩＤと特定担当者との一対一の対応付けが登録される。
【００４２】
そのうえで、例えば、ＩＤ登録リストＭ２や時間帯別担当者リストＭ３の登録に際し、特定担当者リストＭ４を参照することで、特定ＩＤについては、特定担当者以外の担当者に対応付けて登録されないよう所定の制限を加える。
具体的には、制御部７５により、ＩＤ登録リストＭ２の登録の際、特定ＩＤと同一のリモコンＩＤについては、特定担当者以外の担当者を設定できないように表示制御を行う。
また、特定ＩＤと同一のリモコンＩＤについては、ＩＤ登録リストＭ２の登録の際に表示されるウィンドウＭ２１や、時間帯別担当者リストＭ３の登録の際に表示されるウィンドウＭ３１において、「係員から登録」を選択した際のプルダウンメニューに特定担当者のみを表示させ、加えて、「直接入力で登録」を表示させないように、表示制御を行う。
【００４３】
このようにすることで、特定のリモコンＩＤのリモコン５１については、特定の担当者のみが専有できるようになり、これにより、複数の担当者によって共用できないようにすることができる。
例えば、時間単位で勤務を行っていない担当者や店長や課長といった遊技場の管理者等を特定担当者とすることによって、これらの者は、専用のリモコン５１を常時使用することができるため、利便性を向上させることができる。
【００４４】
また、特定担当者と特定ＩＤとの対応付けを登録した後に、その対応付けを一時的に解除することもできる。
例えば、図４の表示画面Ｐ２に表示された特定担当者リストＭ４において、「リモコンＩＤ＝２９」を選択すると、制御部７５は、リモコンＩＤ＝２９に関する特定担当者との対応付けの解除を設定するためのウィンドウＭ４１を表示する表示制御を行う。
【００４５】
具体的には、ウィンドウＭ４１の「対象日」に任意の営業日を入力し、解除ボタンＫ３を選択すると、制御部７５は、その営業日について、「リモコンＩＤ＝２９」と「店長」とを対応付けた特定担当者リストＭ４は登録されていないものとして処理される。このようにすると、特定ＩＤであっても、対象日については、時間帯別に複数の担当者に設定可能となる。なお、図示しないが、「対象期間」や「対象曜日」等を「対象日」の代わりに設定することもできる。
このようにすると、例えば、通常の営業日については、特定の担当者には、専用のリモコンＩＤを割り当てつつ、特定の曜日、期間、正月、連休時などの繁忙期については、共用可能に解除することで、リモコンＩＤを実質的に増やすことができる。
【００４６】
また、制御部７５は、一のリモコンＩＤに対応付けて記憶された担当者に係る時間帯と、他のリモコンＩＤに対応付けて記憶された当該担当者に係る時間帯とが重複するときは、誤った設定がされているものとして、所定の警告情報を表示部７３に表示させる表示制御を行うことができる。
【００４７】
図５（ａ）は、誤った設定に基づき登録された時間帯別担当者リストＭ３の一例を示す図である。
図５（ａ）の時間帯別担当者リストＭ３において、「研修」は、９：００〜１０：００の時間帯はリモコンＩＤ＝２１に対し設定され、１１：００〜２３：００の時間帯はリモコンＩＤ＝３５に対し設定されている。すなわち、この場合、２つのリモコンＩＤが同じ担当者について設定されているが、これらは時間帯が重ならないため問題は生じない。
【００４８】
しかしながら、「山田太郎」については、２３：００〜２４：００の時間帯において、リモコンＩＤ＝２１とリモコンＩＤ＝３５に対して、重複して設定されている。
つまり、その時間帯は、「山田太郎」が、不必要に２つのリモコン５１を使用できることとなるだけでなく、他の担当者が使用できるリモコン５１の数が少なくなり非効率である。
このため、制御部７５は、複数のリモコンＩＤが、同じ時間帯において、同じ担当者に設定されていることを検知した場合は、所定の警告を行うことで、設定が誤っていることを知らせるようにしている。
【００４９】
具体的には、図５（ｂ）に示す警告情報Ｗ１のように、設定が誤っていることを示す所定のメッセージとともに、誤った設定がされている担当者の情報、リモコンＩＤ、重複する時間帯を表示部７３に表示する警告が可能である。
このようにすると、警告情報Ｗ１を見るだけで、リモコンＩＤの設定が誤っていることや、どの担当者についての、どのリモコン５１に対するどの時間帯についての設定が誤っているかを知ることができる。
【００５０】
なお、これ以外にも、例えば、同じリモコンＩＤについて、同じ時間帯に複数の担当者が設定された場合でも、設定が誤っている旨の所定の警告を行うことができる。
【００５１】
また、制御部７５は、判断手段として動作することで、記憶部７２に記憶されたリモコンＩＤについて所定の判断条件に基づいて有効であることを判断する。
「所定の判断条件」は、ＩＤ登録リストＭ２の「可否」欄において「可」が設定されて（チェックがある）登録されることで、有効であることを示す所定の識別情報が付されているリモコンＩＤは有効と判断する。一方、ＩＤ登録リストＭ２の「可否」欄において有効であることを示す所定の識別情報が付されていないリモコンＩＤは有効ではないと判断する。
本実施形態のように、「対象日」ごとに各リモコンＩＤについて「可否」欄の設定がされている場合は、「対象日」ごとにリモコンＩＤが有効であるか否かを判断することができる。また、「時間帯」ごとに「可否」欄の設定がされている場合は、各リモコンＩＤについて「時間帯」ごとに有効であるか否かを判断することができる。
【００５２】
また、「対象日」や「対象期間」を設定しない場合等、ＩＤ登録リストＭ２の登録日から所定期間（例えば、１ヶ月）が有効期間として自動的に設定された場合において、当該期間の経過後については、そのリモコンＩＤの登録は有効ではないと判断することもできる。
【００５３】
遊技場管理装置７０は、受け付けたリモコンＩＤについて所定の認証を行い、所定の場合は、計数装置５０の使用を制限することができる。
例えば、制御部７５は、受け付けたリモコンＩＤと時間帯別担当者リストＭ３との照合を行い、受け付けたリモコンＩＤと一致するリモコンＩＤが検出されなかった場合には、計数装置５０の使用を制限する。
なお、遊技場管理装置７０によらず、計数装置５０自らがリモコンＩＤについて認証を行い、自身の判断でその使用を制限することもできる。
【００５４】
また、制御部７５は、制限手段として動作することで、判断手段において有効ではないと判断されたリモコンＩＤが計数装置５０を使用するときに受け付けられると、その計数装置５０の使用を制限する。具体的には、受け付けたリモコンＩＤが、上記「所定の判断条件」にもとづき、有効ではないと判断されたときに、計数装置５０の使用を制限する。
制御部７５は、所定の制限信号を計数装置５０に送信することによって、その計数装置５０において計数処理が実行できないようにすることができる。制限信号を受信した計数装置５０は、例えば、シャッターを閉じたまま、さらに、電源をオフにし、又は遊技媒体を検知するセンサーを無効にすることで、計数処理が実行できないようにすることができる。
【００５５】
他方、リモコンＩＤが有効であると判断された場合、計数装置５０に対し、所定の許可信号を送信することで、計数処理の実行を許容することができる。許可信号を受信した計数装置５０は、シャッターを開くことで計数処理を実行することができる。
この場合、計数装置５０は、許可信号を受信しない限りシャッターを開かないため、遊技場管理装置７０が、許可信号を送信しないことによっても計数処理の実行を制限することもできる。
【００５６】
このようにすると、例えば、あるリモコン５１について、所定の営業日や所定の時間帯に一時的に使用しない場合に、その営業日や時間帯に有効でない設定をしておくことによって、他の者がそのリモコン５１を用いて計数装置５０を使用する不適切な行為を防ぐことができる。
また、登録から所定の期間（有効期間）を過ぎたリモコンＩＤが使用され続けることによる、セキュリティの低下を防ぐことができる。
また、登録されていないリモコン５１を用いた計数装置５０の不正な使用を防ぐことができる。
【００５７】
また、制御部７５は、制限手段により制限が行われることに基づいて所定の警告情報を表示部７３に表示させる表示制御を実行可能である。
例えば、図６に示す警告情報Ｗ２のように、有効ではないリモコン５１が使用されたことを表示することによって、管理者や担当者に注意を喚起することができ、また、有効ではないと判断されたリモコンＩＤ、時刻情報を表示することで、どのリモコン５１がいつ操作されたのかを特定することができる。
【００５８】
制御部７５は、計数装置５０において所定の処理が行われると、当該所定の処理が行われるときに計数装置５０を介して受け付けられるリモコンＩＤと当該所定の処理が行われるときの時刻情報に基づいて、記憶部７２に記憶された複数の担当者の情報のうちいずれかの担当者の情報を所定の処理に対応する担当者の情報として表示部７３に表示させる表示制御を実行可能である。
【００５９】
ここで、「所定の処理」とは、リモコン５１の操作に基づいて行われる計数装置５０における種々の動作処理であって、本実施形態においては、遊技媒体の計数処理が相当する。「当該所定の処理が行われるときに計数装置５０を介して受け付けられるリモコンＩＤ」とは、計数処理を行うときにリモコン５１から命令信号とともに送信されるリモコンＩＤであって、これを計数装置５０が中継することで、遊技場管理装置７０によって受信されるリモコンＩＤをいう。「当該所定の処理が行われるときの時刻情報」とは、例えば、このリモコンＩＤを計数装置５０から受信したときに図示しない計時手段により計測された時刻の情報をいう。
【００６０】
すなわち、制御部７５は、このようにして受け付けたリモコンＩＤ及び計測された時刻情報に基づいて、時間帯別担当者リストＭ３から該当する担当者を特定するようにしている。具体的には、時間帯別担当者リストＭ３に対し、受信したリモコンＩＤをキーとして一致するリモコンＩＤを検索し、一致したリモコンＩＤについて、各時間帯に設定された担当者の情報の中から、計測した時刻情報を含む時間帯に設定された担当者の情報を特定する。
【００６１】
例えば、「リモコンＩＤ＝３５」及び「時刻情報＝１０時３１分０４秒」に基づき、図３Ｄ（ｂ）に示す時間帯別担当者リストＭ３からは「リモコンＩＤ＝３５」の「時間帯＝１０：００〜１１：００」に設定されている「チーフ」を担当者として特定することができる。また、「リモコンＩＤ＝３５」及び「時刻情報＝１１時０８分０３秒」に基づき、「リモコンＩＤ＝３５」の「時間帯＝１１：００〜１２：００」に設定されている「研修」を担当者として特定することができる。
【００６２】
そして、制御部７５は、このようにして特定した担当者の情報を、計数装置５０の計数処理に対応した担当者の情報として記憶部７２に記憶させ、表示部７３に表示させる制御を実行可能である。
例えば、図７の表示画面Ｐ３に示すように、リモコンＩＤ、時刻情報、及びこれらの情報により特定した担当者の情報に加え、計数装置５０から受け付けた計数処理の結果（計数値）の情報を、リモコンＩＤや計数値の情報を受け付けるたびに記憶部７２に対応付けて記憶させておくことによって、リモコン５１や計数装置５０の使用履歴リストＭ６として随時表示させることができる。
【００６３】
図７に示す使用履歴リストＭ６によれば、どの担当者が、どのリモコン５１を用いて、いつ計数処理の対応を行ったかを容易に確認することができる。
また、時刻情報に日付の情報を含めることによって、指定した営業日の使用履歴リストＭ６を記憶部７２から取り出して表示させることができる（図７の日付指定欄Ｍ５参照）。
このため、各担当者が、所定のリモコン５１を、所定の時間帯内において、適切に使用しているか否か、すなわち、適切に計数装置５０を使用しているかどうかを管理することができる。
【００６４】
ところで、本実施形態の遊技場管理装置７０のように、１つのリモコンＩＤについて、時間帯別に複数の担当者を設定する場合、遊技場において実際に担当者が勤務を交替するタイミングと、時間帯別担当者リストＭ３において設定上時間帯が切り替わる時刻との間で、ズレを生ずることが考えられる。例えば、交替の時刻を過ぎても早番の担当者が勤務を続ける場合や、交替の時刻前に早番と遅番の担当者同士でリモコン５１を受け渡す場合など、通常の勤務態様において、このようなケースは通常的に想定される。
この場合、実際に計数処理を対応した担当者と、受け付けた時刻情報から特定した担当者とが異なることになり、使用履歴リストＭ６の正確性にも欠くことになる。
【００６５】
このような問題については、時間帯別担当者リストＭ３において担当者の情報が切り替わる時刻を基準時刻とし、その基準時刻の前、後、又は前後に所定の猶予時間（例えば、５分）を設けることで解消することが可能である。
例えば、リモコンＩＤを猶予時間内に受け付けた場合には、早番と遅番の双方の担当者を特定し、又は、双方とも特定しないようにしつつ、その猶予時間内に、所定の入力操作があったときは、その操作があったときに担当者が交替するものとして、その操作があるまでは早番の担当者を特定し、その操作があった後は遅番の担当者を特定するようにする。
このようにすると、担当者を誤って特定することがなくなるため、正確な使用履歴リストＭ６に基づき、リモコン５１や計数装置５０の使用を適切に管理することができる。
【００６６】
次に、このような構成の遊技場管理システムにおける時間帯別担当者リストの設定手順について説明する。
図８は、時間帯別担当者リストの設定手順を示すフローチャートである。
【００６７】
図８に示すように、まず、ＩＤ登録リストＭ２の設定を行う（Ｓ１）。具体的には、図３Ａ〜図３Ｂに示すように、リモコン５１の固有情報である「リモコンＩＤ」、リモコン５１が有効か否かを示す「可否」、及び、「担当者」の情報を対応付ける設定をリモコン５１の数分行う。
【００６８】
次に、時間帯別担当者リストＭ３の設定を行う（Ｓ２）。具体的には、図３Ｃ〜図３Ｄに示すように、Ｓ１において設定した各リモコンＩＤについて、時間帯別に担当者の情報を設定する。時間帯別担当者リストＭ３は、所定の登録操作によって登録される。これにより、所定のリモコンＩＤは、時間帯別に複数の担当者の情報と対応付けて記憶部７２に記憶される。
【００６９】
ここで、時間帯別担当者リストＭ３の設定が正しいか否かを判断する（Ｓ３）。具体的には、同一の担当者の情報が、複数のＩＤに対し登録された場合において、時間帯が重複しているとき等は、そのリモコンＩＤの登録は誤っていると判断する。
設定が正しい場合（Ｓ３：ＹＥＳ）、所定の操作に応じ、時間帯別担当者リストＭ３を表示する（Ｓ４）。
設定が正しくない場合（Ｓ３：ＮＯ）、警告が行われる（Ｓ５）。この場合、Ｓ１に戻り、あらためてＩＤ登録リストＭ２や時間帯別担当者リストＭ３の設定を行う。なお、Ｓ１を介さず、Ｓ２に戻って、時間帯別担当者リストＭ３の設定を行うこともできる。
【００７０】
次に、遊技場管理装置における種々の管理動作の手順について説明する。
図９は、登録された時間帯別担当者リストに基づく管理動作の手順を示すフローチャートである。
【００７１】
まず、リモコンＩＤの受信があったかどうかを判断する（Ｓ２１）。例えば、リモコン５１における計数処理を求める操作により、当該リモコン５１からリモコンＩＤが計数装置５０に送信される。制御部７５は、このリモコンＩＤを、計数装置５０を介して受信したか否かを監視している。
リモコンＩＤの受信があった場合（Ｓ２１：ＹＥＳ）、リモコンＩＤの認証を行う（Ｓ２２）。
【００７２】
はじめに、リモコンＩＤが一致するか否かを判断する（Ｓ２３）。具体的には、受信したリモコンＩＤと時間帯別担当者リストＭ３との照合を行い、受け付けたリモコンＩＤと一致するリモコンＩＤの検出を試みる。
リモコンＩＤが一致した場合（Ｓ２３：ＹＥＳ）、そのリモコンＩＤが有効か否かを判断する（Ｓ２４）。具体的には、ＩＤ登録リストＭ２の「可否」欄において「可」が設定されて（チェックがある）登録されることで、有効であることを示す所定の識別情報が付されているリモコンＩＤは有効と判断し、その識別符号が付されていないリモコンＩＤは有効ではないと判断する。また、登録後、所定の有効期間を経過していないリモコンＩＤは有効と判断し、有効期間を経過したリモコンＩＤは有効ではないと判断する。
【００７３】
リモコンＩＤが有効な場合（Ｓ２４：ＹＥＳ）、対応する担当者を特定する（Ｓ２５）。具体的には、その有効なリモコンＩＤのリモコン５１を用いて計数処理を対応した担当者を特定する。このため、時間帯別担当者リストＭ３において、そのリモコンＩＤと同一のリモコンＩＤについて、各時間帯に設定された担当者の情報の中から、そのリモコンＩＤを受信したときの時刻情報が含まれる時間帯に設定された担当者の情報を特定する。
【００７４】
特定した担当者の情報は、計数装置５０の計数処理に対応した担当者の情報として表示することができる（Ｓ２６）。
具体的には、図７に示すように、リモコンＩＤ、時刻情報、及びこれらの情報により特定した担当者の情報等を対応付けた情報を、計数装置５０の使用履歴リストＭ６として表示させることができる。
【００７５】
Ｓ２３において、リモコンＩＤが一致しなかった場合（Ｓ２３：ＮＯ）、又は、Ｓ２４において、リモコンＩＤが有効でなかった場合（Ｓ２４：ＮＯ）、計数装置５０の使用制限を行い（Ｓ２７）、また、警告を行う（Ｓ２８）。
計数装置５０の使用制限は、例えば、所定の制限信号を計数装置５０に送信することによって、その制限信号を受信した計数装置５０において、例えば、電源をオフにし、又は遊技媒体を検知するセンサーを無効にすることで実施することができる。
警告は、例えば、図６に示す警告情報Ｗ２のように、有効ではないリモコン５１が使用されたことのメッセージや、有効ではないと判断されたリモコンＩＤ、時刻情報を表示することで行うことができる。
【００７６】
以上のように、本発明の一実施形態に係る遊技場管理装置、遊技場管理システム及び遊技場管理プログラムによれば、リモコン５１の記録媒体に記憶されているリモコンＩＤについて、時間帯別に複数の担当者を設定するようにしている。
すなわち、従来は、一人につき一つ割り当てられていたリモコン５１について、リモコンＩＤを時間帯別に複数人に割り当てることにより複数人で共用できるようにしたうえで、リモコン５１の使用が許容される時間帯と担当者を把握できるようにすることで、リモコン５１を用いた遊技装置の適切な使用管理を可能としている。
また、このような特徴を備えることにより、以下のような課題が解決される。
【００７７】
例えば、従来の遊技場管理システム（特許文献１参照）においては、ＩＣタグに書き込まれた担当者コードに使用可能な時間帯を紐付けて登録するようにしているが、この場合、ＩＣタグを従業員の人数分用意しなければならなかった。このため、例えば、リモコンなど、多機能の機器を認証に使用する場合には、特に、高コストとなる問題があった。
このような問題に対し、本発明によれば、一の固有情報に対し、時間帯別に複数の担当者の情報を対応付けて設定することで、固有情報の有効的に利用できるようにしている。これにより、認証に用いる機器の数を抑え、高コストの問題を解消することができる。
【００７８】
（他の実施形態）
次に、本発明の遊技場管理装置の他の実施形態について説明する。
本実施形態の遊技場管理装置７０は、前述の実施形態と比べると、リモコンＩＤについて、時間帯別に複数の担当者を設定する点において共通するが、本実施形態では、遊技場に勤務する各担当者のシフトデータに基づき、自動的にその設定を行う点で相違する。
このため本実施形態の遊技場管理装置７０は、記憶部７２に、複数の担当者が交替して勤務する時間帯別に当該複数の担当者の情報が対応付けられた所定のシフトデータＭ７を記憶し、制御部７５は、このシフトデータＭ７に基づき、リモコンＩＤを、シフトデータＭ７における時間帯別に複数の担当者の情報と対応付けて記憶するようにしている。他の構成は、前述の実施形態と同様である。
したがって、同様の構成については、前述の実施形態における符号と同一の符号を付して説明を省略する。
【００７９】
図１０（ａ）は、シフトデータの一例を示す図である。
図１０（ａ）に示すように、シフトデータＭ７は、遊技場に勤務する各担当者の情報と、各担当者が勤務する時間帯が識別可能に対応付けられた勤務データから構成され、予め記憶部７２に記憶されている。
このシフトデータＭ７は、「研修１」〜「研修５」の各担当者の勤務データからなり、研修１と研修３及び研修４が所定の時刻で交替し、研修２と研修４が所定の時刻で交替する勤務態様となっている。
また、図１０（ａ）の「優先順位」欄に示すように、各担当者には、それぞれ優先順位が設定され、これらの優先順位が識別可能に記憶されているものとする。本実施形態では、研修１、研修２、研修３、研修４、研修５の順に優先順位が設定されているものとする。
【００８０】
また、図１０（ｂ）のリモコンＩＤ優先順位リストＭ８に示すように、使用対象のリモコン５１のリモコンＩＤに優先順位を付けて登録するようにしている。本実施形態では、２つのリモコン５１について、各リモコンＩＤ＝８０，９０と優先順位とが対応付けて登録されており、リモコンＩＤ＝８０に、高い優先順位が付されているものとする。
【００８１】
シフトデータＭ７に基づく時間帯別担当者リストＭ３の設定は、早い時間帯から順番に、時間帯ごとに行う。
具体的には、対象となる時間帯における勤務データの連続性を判断する。
連続性の判断は、具体的には、その勤務データの直前の時間帯に、同じ担当者の勤務データがある場合であって、かつ、その直前の時間帯にリモコンＩＤが設定されている場合に、連続性が有ると判断する。このため、その勤務データの直前の時間帯に、同じ担当者の勤務データがない場合や、同じ担当者の勤務データがある場合であっても、その直前の時間帯にリモコンＩＤが設定されていない場合には連続性が無いと判断する。
【００８２】
連続性が無い場合、「優先順位」が高い順にリモコンＩＤを設定し、連続性が有る場合、直前の時間帯に設定されたリモコンＩＤを設定する。
また、同じ時間帯に複数の担当者の勤務データがある場合は、連続性のある勤務データに係る担当者に対するリモコンＩＤの設定を優先する。
【００８３】
シフトデータＭ７の「９：００〜１０：００」の時間帯を参照すると、勤務データは、１つ（研修１）であり、連続性もない。
このため、時間帯別担当者リストＭ３においては、第一優先順位のリモコンＩＤ＝８０について、「９：００〜１０：００」の時間帯に、「研修１」を設定する。
【００８４】
シフトデータＭ７の「１０：００〜１１：００」の時間帯を参照すると、研修１と研修２の２つの勤務データがあり、研修１の勤務データは連続性があり、研修２の勤務データは連続性がない。
このため、研修１、研修２の順に、設定を行う。
【００８５】
研修１の勤務データは、連続性があることから、その直前の時間帯に設定されたリモコンＩＤを選択する。
このため、時間帯別担当者リストＭ３においては、リモコンＩＤ＝８０について、「１０：００〜１１：００」の時間帯に、「研修１」を設定する。
研修２の勤務データは、連続性がなく、また、第一優先順位のリモコンＩＤ＝８０は研修１に設定されている。
このため、時間帯別担当者リストＭ３においては、第二優先順位のリモコンＩＤ＝９０について、「１０：００〜１１：００」の時間帯に「研修２」を設定する。
【００８６】
シフトデータＭ７の「１３：００〜１４：００」の時間帯を参照すると、研修２、研修３及び研修５の３つの勤務データがあり、研修２の勤務データは連続性があり、研修３及び研修５の勤務データは連続性がない。
このため、研修２、研修３の順に、設定を行う。
【００８７】
研修２の勤務データは、連続性があることから、その直前の時間帯に設定されたリモコンＩＤを選択する。
このため、時間帯別担当者リストＭ３においては、リモコンＩＤ＝９０について、「１３：００〜１４：００」の時間帯に「研修２」を設定する。
研修３の勤務データは、連続性がないことから、第一優先順位のリモコンＩＤ＝８０を選択する。
このため、時間帯別担当者リストＭ３においては、リモコンＩＤ＝８０について、「１３：００〜１４：００」の時間帯に「研修３」を設定する。
【００８８】
シフトデータＭ７の「１４：００〜１５：００」の時間帯を参照すると、研修３、研修４及び研修５の３つの勤務データがあり、研修３の勤務データは連続性があり、研修４及び研修５の勤務データは連続性がない。
このため、研修３、研修４の順に、設定を行う。
【００８９】
研修３の勤務データは、連続性があることから、その直前の時間帯に設定されたリモコンＩＤを選択する。
このため、時間帯別担当者リストＭ３においては、リモコンＩＤ＝８０について、「１４：００〜１５：００」の時間帯に「研修３」を設定する。
研修４の勤務データは、連続性がなく、また、第一優先順位のリモコンＩＤ＝８０は研修３に設定されている。
このため、時間帯別担当者リストＭ３においては、第二優先順位のリモコンＩＤ＝９０について、「１４：００〜１５：００」の時間帯に「研修４」を設定する。
【００９０】
これらの処理を、シフトデータＭ７のすべての時間帯について行うことによって、図１０（ｃ）に示す時間帯別担当者リストＭ３が設定される。
【００９１】
以上のように、本実施形態の遊技場管理装置７０及びこの遊技場管理装置７０を備えた遊技場管理システムによれば、シフトデータＭ７に基づき、リモコンＩＤについて時間帯別に複数の担当者を対応付けた時間帯別担当者リストＭ３を自動的に設定することができる。
これにより、時間帯別担当者リストＭ３の設定を行う際の手間を大幅に軽減することができる。
【００９２】
以上、本発明の遊技場管理装置７０、遊技場管理システム及び遊技場管理プログラムについて、好ましい実施形態を示して説明したが、本発明に係る遊技場管理装置７０、遊技場管理システム及び遊技場管理プログラムは、上述した実施形態にのみ限定されるものではなく、本発明の範囲で種々の変更実施が可能であることは言うまでもない。
【００９３】
例えば、上述の実施形態においては、遊技場管理装置７０において所定の制御を行い、これにより所定の内容を表示させる態様について説明したが、本発明は、このような態様に限らず、計数装置５０などの遊技装置がこれらの機能を備えることによっても本発明を実施することができる。
【００９４】
また、計数装置５０の操作手段は、リモコン５１に限らず、例えば、携帯端末など、機器の内部に備えられた記録媒体に固有情報が記録された各種機器や装置を適用することができる。
また、操作手段を有しないＩＣカードやＩＣタグなど、記録媒体そのものが携行されるものを、リモコン５１に代えて適用することができる。この場合、計数装置５０における計数処理は、例えば、所定のタイミングでセットされたＩＣカード等からその記録媒体に記録されてある固有情報を読取った後、計数装置５０に備えられるボタン等の操作によって行われる。
【００９５】
また、計数装置５０は、計数値とリモコンＩＤをレシートに印字することが可能であるところ、リモコンＩＤに代え、又は、リモコンＩＤに加え、そのリモコンＩＤに対応した担当者の情報を印字することもできる。具体的には、遊技場管理装置７０が、計数処理の際に受け付けたリモコンＩＤ及び時刻情報から対応する担当者の情報を特定し、特定した担当者の情報を計数装置５０に受け渡すことによって、計数装置５０は、計数処理後に発行するレシートに、当該処理を対応した担当者の情報を印字することができる。
このようにすると、レシートを参照することによっても、担当者によるリモコン５１や計数装置５０の使用が適切に行われているかどうかを確認することができる。
【００９６】
また、遊技場管理装置７０において、遊技客数の履歴を記録している場合には、過去の履歴のうち、遊技客数が多い期間（例えば、連休など）については、使用するリモコン５１の数を増やすことができる。
具体的には、特定担当者に対し一対一に対応付けて設定された特定ＩＤ（図４参照）について、その期間は、自動的にその対応付けを解除し、共用可能なリモコンＩＤを増やすことによって、リモコン５１を実質的に増やすことができる。
【００９７】
また、他の実施形態において、９：００〜１０：００の時間帯は、リモコンＩＤ＝９０のリモコン５１は使用されないことから、リモコンＩＤ＝９０については担当者の情報が設定されない（図１０（ｃ）の「未使用」参照）。
このような場合、リモコンＩＤを有効ではない設定を自動的に行うことができる。つまり、９：００〜１０：００の時間帯は、リモコンＩＤ＝９０が有効ではないことを示す識別情報を付して登録を行うようにする。
このようにすると、この時間帯に、リモコンＩＤ＝９０のリモコン５１を用いた不適切な計数装置５０の使用を防ぐことができ、また、そのような不適切な使用について警告することが可能となる。
【符号の説明】
【００９８】
１０  遊技機
２０  遊技媒体貸出機
３０  台管理装置
４０  島管理装置
５０  計数装置
５１  リモコン
５２  リモコン受信部
６０  景品交換装置
７０  遊技場管理装置
７１  通信部
７２  記憶部
７３  表示部
７４  入力部
７５  制御部
Ｍ１  対象日欄
Ｍ２  ＩＤ登録リスト
Ｍ３  時間帯別担当者リスト
Ｍ４  特定担当者リスト
Ｍ５  日付指定欄
Ｍ６  使用履歴リスト
Ｍ７  シフトデータ
Ｍ８  リモコンＩＤ優先順位リスト
Ｗ１，Ｗ２  警告情報
【図１】
0006504428.tif 000002
【図２】
0006504428.tif 000003
【図３Ａ】
0006504428.tif 000004
【図３Ｂ】
0006504428.tif 000005
【図３Ｃ】
0006504428.tif 000006
【図３Ｄ】
0006504428.tif 000007
【図４】
0006504428.tif 000008
【図５】
0006504428.tif 000009
【図６】
0006504428.tif 000010
【図７】
0006504428.tif 000011
【図８】
0006504428.tif 000012
【図９】
0006504428.tif 000013
【図１０】
0006504428.tif 000014